(57)【特許請求の範囲】
【請求項１】
−  ガラス板と、
−  アンテナと、
−  鉛フリーはんだ材料によって前記アンテナに接合された導電性コネクタと、
−  誘電要素によって分離されかつ絶縁層によって保護される、少なくともピンおよびシールドを含む同軸ケーブルと
を含むガラスパネルにおいて、
前記導電性コネクタが、前記同軸ケーブルを前記導電性コネクタに保持するための少なくとも２つの機械的固定要素を含むこと、前記機械的固定要素の少なくとも２つが前記同軸ケーブルの前記シールドに電気的に接続されていること、前記導電性コネクタが、機械的固定要素を固定するための少なくとも拡張領域と、鉛フリーはんだ材料によって前記アンテナに接合するための、前記拡張領域に接続された少なくとも１つの足部とを含むこと、および前記機械的固定要素が前記導電性コネクタの前記拡張領域の対向する２つの縁部に固定されることを特徴とするガラスパネル。
【請求項２】
前記導電性コネクタが２つの足部を含むことを特徴とする、請求項１に記載のガラスパネル。
【請求項３】
少なくとも１つの足部が、丸みを帯びた形状を有することを特徴とする、請求項１または２に記載のガラスパネル。
【請求項４】
前記導電性コネクタが３つの機械的固定要素を含み、前記機械的固定要素のうちの２つが前記同軸ケーブルの前記シールドに電気的に接続され、かつ前記導電性コネクタの前記拡張領域の対向する２つの縁部に固定され、および前記機械的固定要素のうちの１つが前記同軸ケーブルの前記絶縁層に固定されることを特徴とする、請求項１〜３のいずれか一項に記載のガラスパネル。
【請求項５】
機械的固定要素がかしめ要素であることを特徴とする、請求項１〜４のいずれか一項に記載のガラスパネル。
【請求項６】
前記同軸ケーブルの前記ピンが鉛フリーはんだ材料によって前記アンテナに接合されることを特徴とする、請求項１〜５のいずれか一項に記載のガラスパネル。
【請求項７】
前記アンテナが広帯域のプリントされたアンテナであることを特徴とする、請求項１〜６のいずれか一項に記載のガラスパネル。
【請求項８】
前記シールドが中間伝導性要素の近くに延長されることを特徴とする、請求項１〜７のいずれか一項に記載のガラスパネル。
【請求項９】
誘電要素によって分離されかつ絶縁層によって保護される、少なくともピンおよびシールドを含む同軸ケーブルを導電性コネクタに保持するための少なくとも２つの機械的固定要素を含むコネクタであって、前記機械的固定要素の少なくとも２つが前記同軸ケーブルの前記シールドに電気的に接続されることを意図されていること、前記導電性コネクタが、機械的固定要素を固定するための少なくとも拡張領域と、鉛フリーはんだ材料によってアンテナに接合するための、前記拡張領域に接続された少なくとも１つの足部とを含むこと、および前記機械的固定要素が前記導電性コネクタの前記拡張領域の対向する２つの縁部に固定されることを特徴とするコネクタ。
【請求項１０】
２つの足部を含むことを特徴とする、請求項９に記載のコネクタ。
【発明の詳細な説明】
【技術分野】
【０００１】
本発明は、コネクタ、特に導電性コネクタを含むガラスパネルに関する。より具体的には、本発明は、アンテナに接続された導電性コネクタ、例えば、導電性コネクタによってアンテナに接続された同軸ケーブルを含む車両のガラスに関する。
【背景技術】
【０００２】
今日、自動車のガラスパネルは、アンテナ、ガラスパネルヒータおよびそれらの類似物など、多数の追加的な電気装置を有する。
【０００３】
ガラスパネルと結合された電気的機能部品または電気的機能層の導入により、自動車ガラスに様々な機能を付与することができる。電気的機能部品は、例えば、アンテナ素子、太陽電池またはエレクトロクロミックコーティングである。薄い金属ワイヤの挿入または電気的に加熱可能なコーティングの適用により、加熱機能を得ることができる。これらの電気的機能部品または層は、少なくとも導電性コネクタのために、例えば電源または増幅器に接続する必要がある。電気コネクタは、ガラスパネルが自動車に設置される前に取り付けられる。
【０００４】
ガラスパネルへの取り付けは、はんだ材料を備えた導電性コネクタがガラスパネルの接触面上に配置され、次いで加熱されて、はんだ材料がガラスパネルの接触面と融解することで生じる。
【０００５】
従来、コネクタは、鉛ベースのはんだ材料により電気的機能部品または電気的機能層にはんだ付けされる。なぜなら、鉛は変形可能な金属であり、温度の変化に起因するコネクタと基板との熱膨張の差によるコネクタと基板との間の機械的応力を最小にするためである。より具体的には、典型的に銅などの良好な伝導性材料で作られるコネクタと基板との間の熱膨張係数の差が機械的応力を引き起こす。ガラス基板の場合、このような応力は、典型的にガラスで作られる基板に亀裂または他の損傷をもたらす可能性がある。鉛ベースのはんだ材料は、典型的にはスズ（Ｓｎ）および鉛（Ｐｂ）を含む。鉛は、はんだ中のスズと、一般的に高い銀（Ａｇ）含量から構成される電気的機能部品または電気的機能層との間のラジカル反応速度を低下させ、良好なはんだ付け性を可能にする。しかしながら、鉛は環境汚染物質と考えられ得ることが知られている。従って、多くの産業、特に自動車産業において、車両における鉛のあらゆる使用から離れようとする動機がある。それに加えて、ＥＵ法、例えば現行の「廃」自動車指令（ＥＬＶ指令）２０００／５３／ＥＣは、鉛などの特定の有害物質を禁止している。自動車産業が鉛の使用から離れる主な推進力は、欧州連合（ＥＵ）が課したエレクトロニクスにおける鉛の禁止である。ＲｏＨＳ指令（有害物質の制限に関する指令）の下、２００６年７月１日現在、鉛は、電子機器において他の物質に置き換えなければならない。（この指令では、水銀、カドミウム、および六価クロムも禁止されている。）欧州向けの電子部品はいずれも禁止対象である。
【０００６】
鉛フリーはんだ材料の使用は、マイクロエレクトロニクス産業および配管産業で一般的である。そのような材料は、例えば、それぞれの産業の代表的な特許である欧州特許第０７０４７２７Ｂ１号明細書および米国特許第４７５８４０７Ｂ号明細書に記載されている。
【０００７】
鉛フリーはんだ材料の使用は、自動車産業を含む他の産業にも広がっている。そのような使用は、例えば、米国特許出願公開第２００７０２２４８４２Ａ１号明細書に記載されている。
【０００８】
従来のはんだ材料は、はんだ材料中の鉛を置き換えるように提案されている。そのような材料は、一般に、少量の銀、銅、インジウムおよびビスマスと共に高レベルのスズを含む。しかしながら、このような材料は、スズリッチはんだ材料と、電気的機能部品または電気的機能層の銀またはそれに添加された銀との間のラジカル反応速度を増加させ、その結果、はんだ付け性が悪くなる。これらの従来の材料は、温度変化の結果であるコネクタと基板との熱膨張が原因のコネクタと基板との間の機械的応力を吸収せず、これにより基板に亀裂または他の損傷が生じやすくなる。さらに、コネクタの代替材料の多くは、はんだ付けが困難であり、コネクタを基板上のアンテナなどの電気的機能部品または電気的機能層に十分に接着させることが困難である。その結果、基板上のアンテナなどの電気的機能部品または電気的機能層に代替材料を十分に接着させるために、他の技術が必要となるであろう。
【０００９】
例えば、米国特許第６２５３９８８号明細書は、低融点、展性、および電気的機能部品または電気的機能層に対する良好なはんだ付け性のために、高量（または大量）のインジウムを含むはんだ材料組成物を開示している。しかしながら、インジウムを含むはんだ材料組成物は、非常に柔らかい相を有し得、このはんだ材料組成物は、応力下で弱い凝集強度を示す。これらの他の従来の材料は不十分であるため、特に鉛フリーはんだ材料ではんだ付けされる導電性コネクタを見出す必要がある。
【００１０】
本発明は、ガラスパネルに関し、より詳細には、導電性コネクタを介して連結された電気的機能部品または電気的機能層を含む車両のガラスに関する。そのような電気的機能部品または電気的機能層は、例えばアンテナである。
【００１１】
アンテナとは、電力を電波に変換する電気機器であり、逆も同様である。これは、通常、無線送信機または無線受信機で使用される。送信時、無線送信機が無線周波数で振動する電流（すなわち、高周波交流（ＡＣ））をアンテナの端子に供給し、アンテナは電磁波（電波）として電流からエネルギーを放射する。受信時、アンテナは、増幅される受信機に印加されるわずかな電圧をその端子で生成するために、電磁波の出力の一部を傍受する。
【００１２】
アンテナは、無線を使用するすべての機器の不可欠な構成要素である。これらは、ラジオ放送、テレビ放送、双方向ラジオ、通信レシーバ、レーダ、携帯電話、および衛星通信などのシステムで、ならびにガレージ開扉装置、ワイヤレスマイク、Ｂｌｕｅｔｏｏｔｈ（登録商標）対応デバイス、ワイヤレスコンピュータネットワーク、ベビーモニター、および商品上のＲＦＩＤタグなどの他の装置で使用される。
【００１３】
典型的には、アンテナは、受信機または送信機に（多くの場合に伝送線を介して）電気的に接続された金属導体の配列からなる。送信機によってアンテナを介して送られる電子の振動電流は、アンテナ素子の周りに振動磁界を生成し、その間、電子の電荷もその素子に沿って振動電界を生成する。
【００１４】
自動車の分野では、アンテナは、ラジオ、テレビまたは携帯電話信号（ＧＳＭ（登録商標））などの情報を送信および／または受信するために使用されるが、車両と通信するために、すなわちキーを挿入することなく車のドアを開けることができるように、または他の車両と通信するために、すなわち車両間の距離を保つように、または環境、すなわち料金所、信号機と通信するためにも使用される。
【００１５】
アンテナは、ガラス、すなわちフロントガラス、後部窓、側方窓もしくはサンルーフ内に組み付けられてもよく、またはルーフなどの車体内に固定されてもよい。車両内で使用される様々なアンテナシステムがある。
【００１６】
アンテナのサイズは一般に動作周波数の波長（λ）の一部であり、通常、λ／２またはλ／４である。さらに、隣接する誘電体媒体の存在は、放射体の寸法を√εｒだけ減少させる。ここで、εｒは誘電体材料の比誘電率である。
【００１７】
現代の車は、アナログ音声放送（振幅変調（ＡＭ  −  ０．５〜１．７ＭＨｚ）および周波数変調（ＦＭ  −  ７６〜１０８ＭＨｚ））、グローバルポジショニングシステム（ＧＰＳ  −  １５７５ＭＨｚ）データ、携帯電話通信、例えばｇｌｏｂａｌ  ｓｙｓｔｅｍ  ｆｏｒ  ｃｏｍｍｕｎｉｃａｔｉｏｎ（ＧＳＭ（登録商標）  −  ８００／１８００ＭＨｚ）、ｌｏｎｇ  ｔｅｒｍ  ｅｖｏｌｕｔｉｏｎ（ＬＴＥ  −  ８００／１８００／２６００ＭＨｚ）、デジタル音声放送（ＤＡＢ  −  １７０〜２４０ＭＨｚ）、リモートキーレスエントリー（ＲＫＥ  −  ３１５／４３３ＭＨｚ）、テレビ受信、タイヤ空気圧モニターシステム（ＴＰＭＳ  −  ３１５／４３３ＭＨｚ）、自動車用レーダ（２２〜２６ＧＨｚ／７６〜７７ＧＨｚ）、車両間通信（Ｃ２Ｃ  −  ５．９ＧＨｚ）等のための多数のアンテナを含む場合がある。
【００１８】
第１のシステムは周知であり、米国特許第８５１９８９７Ｂ２号明細書に記載されている。低プロファイルアンテナアセンブリまたはシャークフィン型カーアンテナアセンブリが、ＡＭ／ＦＭラジオ、衛星デジタル音声ラジオサービス（ＳＤＡＲＳ）、グローバルポジショニングシステム（ＧＰＳ）、デジタル音声放送（ＤＡＢ）−ＶＨＦ−ＩＩＩ、ＤＡＢ−Ｌ、Ｗｉ−Ｆｉ、Ｗｉ−Ｍａｘ、および携帯電話で使用するために構成されている。いくつかの例示的な実施形態では、アンテナアセンブリは、アンテナアセンブリの共通カバーの下において、同じ場所、例えばアンテナアセンブリの共通シャーシ上に配置された少なくとも２つのアンテナを含む。このようなアンテナは、アンテナが頭上にまたは天頂に向かって障害物がない視界を確実に得ることを促すために、自動車のルーフ、フード、またはトランクに一般的に設置される。
【００１９】
第２の周知のシステムは、ＡＭおよびＦＭ放送を受信するためのアンテナ素子として車両のバックウィンドウに予め封入されたデフォッガ素子を利用する後部窓アンテナシステムである。このような後部窓アンテナシステムの例は、米国特許第５２９３１７３号明細書または米国特許第５０９９２５０号明細書中に見出すことができる。車両のリアウィンドウに埋め込まれた既知の組合せのデフォッガ／アンテナ素子システムでは、素子を加熱する高電流信号からアンテナ信号を分離するために素子と車両ＤＣ電源との間に２つのバイファイラまたはトロイダルチョークを組み込むことが必要である。
【００２０】
第３のシステムは周知であり、米国特許出願公開第２０１４１０４１２２Ａ１号明細書に記載されている。このシステムは、ガラス内に配置されたワイヤまたは透明コーティングを含むアンテナ素子を有するウィンドウアセンブリから構成される。このタイプのアンテナは、一般に、直線状に偏波される無線周波数（ＲＦ）信号を受信するように構成される。具体的には、アンテナ素子が受信し得る直線状に偏波されるＲＦ信号は、非限定的に、ＡＭ、ＦＭ、ＲＫＥ、ＤＡＢ、ＤＴＶおよび携帯電話信号である。
【００２１】
テクノロジーの進化に伴い、車両には通信（情報の受信または発信）が可能な多くのアンテナが装備されている。車体に固定されるアンテナもあれば、ガラスのガラスパネルに配置されるアンテナもある。
【００２２】
ガラス上に配置された従来の自動車放送低周波アンテナ（第２または第３のタイプのアンテナ）は、国際公開第２００４０６８６４３号パンフレットに記載されているように、単一要素によって電気的に供給され、電力供給され、かつ接続される。
【００２３】
従来、この要素は銀印刷の領域内にはんだ付けされた単一のクリンプによってアンテナに物理的および電気的に接続される。例えば、１０ｍｍ×１０ｍｍの銀印刷領域が後部窓上に印刷され、ワイヤアンテナに連結される。要素は、能動型増幅器に接続されたワイヤ、ピグテール、銅線、またはＭＱＳフラットケーブルとすることができる。
【００２４】
この種のアンテナのはんだ付けは、それが前記所定の領域の内側に取り付けられる限り重要ではなく、それらの低周波数アンテナの機能性および性能に影響を与えない。なぜなら、それは、それらの波長のごく一部だからである。
【００２５】
より高い周波数システムの場合、波長がはるかに短くなるため、２つの問題が生じる。
【００２６】
第１の問題は、単一ワイヤ線によるものである。単一ワイヤ線は、信号を伝送し、電力および波を受信するのに適していない。より高い周波数での効率的な電力伝達および伝送のためには、同軸ケーブルが必要である。前記同軸ケーブルは、円筒状の金属シールド、グランドプレーンとしての金属グリッドによって同様に被覆される円筒状の誘電性プラスチック材料の内側を通って伸びる中央金属細線または中央ピン、導体を含むアセンブリに一致する。このアセンブリは、最終的に絶縁層によって被覆される。信号、波、電圧、電流は、同軸ケーブルの中央ピンと金属シールドとの間を循環する。
【００２７】
一般に、これらの高周波用のアンテナは、同軸ケーブルに接続された少なくとも２つの部分を含む。同軸ケーブルの金属シールドはアンテナの第１の部分（例えば、グランド）に接続され、中央ピンはアンテナの第２の部分に接続され、それによりアンテナのこれらの２つの部分間で電位差、電圧を受け取るまたは伝達する。
【００２８】
第２の問題は、はんだ付けによるものである。より高い周波数のアンテナは、小さな波長を有する。従って、小さい揺らぎでさえ波長に相当するため、より高い周波数でのはんだ付けの精度は厳密であるかまたは厳密であり得る。
【００２９】
これらの理由から、広帯域アンテナは、同軸ケーブルなどの特定のケーブルに接続する必要がある。この同軸ケーブルは、一方ではアンテナのグランドに、他方ではアンテナの第２部分に接続する必要がある。そのため、ケーブルは、同軸ケーブルの金属シールドをアンテナのグランドに接続し、また中央ピンをアンテナの他の部分に接続することも可能にするコネクタを介してアンテナに接続される。
【００３０】
以下の説明は、自動車のガラスに関するが、本発明は、ガラス板と結合された電気的機能部品または電気的機能層を提供し得る建築用ガラスのような他の分野にも適用可能であり得ることが理解される。
【発明の概要】
【００３１】
本発明は、ガラス板と、アンテナと、鉛フリーはんだ材料によってアンテナに接合された導電性コネクタと、誘電要素によって分離されかつ絶縁層によって保護される、少なくともピンおよびシールドを含む同軸ケーブルとを含むガラスパネルに関する。導電性コネクタは、同軸ケーブルを導電性コネクタに保持するための少なくとも２つの機械的固定要素を含む。
【００３２】
より詳細には、本発明は、ガラス板と、アンテナに接続された導電性コネクタと、例えば、導電性コネクタによってアンテナに接続された同軸ケーブルとを含む車両用ガラスパネルに関する。
【００３３】
ガラス板は、車の設計に適合するフラットパネルまたは湾曲パネルとすることができる。ガラス板は、セキュリティに関する仕様書を遵守するように調質することができる。加熱可能なシステム、例えばコーティングまたはワイヤ網をガラス板に適用して、例えば霜取り機能を付加することができる。また、ガラス板は、透明ガラスとするか、またはガラスの特定の組成を用いてもしくは例えばコーティングまたはプラスチック層を適用することによって薄い色を付けられた着色ガラスとすることができる。
【００３４】
本発明によれば、ガラスパネルは少なくともアンテナを含み、このアンテナは、より高い周波数、例えばＬＴＥネットワーク（４Ｇ）を介して情報を受信および／または送信するための広帯域アンテナであると好ましい。アンテナは、プリントされたアンテナであると好ましい。広帯域アンテナは、好ましくは、７００ＭＨｚ〜３ＧＨｚの周波数帯域で動作する。
【００３５】
本発明によれば、ガラスパネルは、ガラスパネルにアンテナ機能を追加するために、ＡＭ、ＦＭ、ＲＫＥ、ＤＡＢ、ＤＴＶアンテナまたは他のタイプのアンテナのようないくつかの他のアンテナを含むことができる。
【００３６】
本発明によれば、同軸ケーブルは、ガラス上に置かれた自動車用アンテナ用に使用されるケーブルよりも良好により高い周波数の信号を搬送することを可能にするように設計されたケーブルであり、誘電要素によって分離されかつ絶縁層によって保護される少なくともピンおよびシールドを含む。
【００３７】
好ましくは、同軸ケーブルの金属シールドは、ケーブルがより高い周波数の信号を搬送することを可能にする、特定のインピーダンス（通常、高周波数用の伝送ケーブル／ラインとして５０オームのインピーダンスの特定値）を維持するように設計された中央ピンにかしめられる中間伝導性要素の近くに延長される。従って、金属シールドは中間伝導性要素に近く、中央ピンを担持する中間伝導性要素と金属シールドとの間の距離を減少させる。
【００３８】
より好ましくは、金属シールドの延長領域は、アンテナの第２の部分と電気的に接続しないように、熱収縮チューブなどの絶縁層によって被覆される。
【００３９】
従って、シールドの延長により、高周波の損失が低減され、アンテナの性能を向上させることができる。なぜなら、この延長がなければ、インピーダンスが変化する可能性があり、次いでインピーダンス変化の部分で何らかのリフェクション（ｒｅｆｅｃｔｉｏｎ）が起こり、これが伝送の損失につながり得るからである。
【００４０】
本発明によれば、導電性コネクタは、アンテナをケーブルに接続し、ＥＵ規制を遵守するために鉛を使用しないはんだ付けによってアンテナに接合される。
【００４１】
導電性コネクタ材料は、ガラスパネルと導電性コネクタ材料との熱膨張差が５×１０−６／℃未満になるように選択される材料である。
【００４２】
本発明によれば、コネクタは、銅、クロム合金、ステンレス鋼合金などの鋼合金、多量のクロムまたはニッケルを含む鋼合金、またはアンテナに接続される、ケーブルを固定できるなどのコネクタ機能の制約およびこの種の材料または合金の他の利点と一致する他のいずれかの材料または合金など、異なるタイプの材料で作製することができる。
【００４３】
好ましくは、はんだ材料は、１５０℃を超える温度で改善された特性を有する。このようなはんだ材料は、独国特許出願公開第１０２００６０４７７６４Ａ１号明細書から知られている。このような鉛フリーはんだ材料は、８８重量％〜９８．５重量％のＳｎ、０．５重量％〜５重量％のＡｇを含むＳｎ、Ａｇのはんだ合金またはビスマス−スズ−銀（Ｂｉ−Ｓｎ−Ａｇ）合金をベースとする。好ましくは、はんだ材料は、以下の合金ＢｉｘＳｎｙＡｇｚ（ｘ、ｙ、ｚは成分の重量％を表す）（この命名法は周知である）：Ｂｉ５７Ｓｎ４２Ａｇ０、Ｂｉ５７Ｓｎ４０Ａｇ３、ＳｎＡｇ３．８Ｃｕ０．７、Ｓｎ５５Ｂｉ４４Ａｇ１、またはＳＡＣ合金（スズ−銀−銅（Ｓｎ−Ａｇ−Ｃｕ）合金）を少なくともその成分として有する。より好ましくは、はんだ合金は、３重量％のＡｇ、０．５重量％のＣｕおよび９６．５重量％のＳｎからなるＳＡＣ３０５である。このはんだ材料は、それと共に使用されるコネクタのボンディング特性および高い疲労強度を改善した。
【００４４】
本発明によれば、コネクタ要素は、好ましくは、鉄−ニッケル（ＦｅＮｉ）もしくは鉄−クロム（ＦｅＣｒ）合金、またはそれらの混合物からなる。より好ましくは、コネクタ要素は、好ましくはＦｅＣｒ１０、ＦｅＣｒ１６、グレード４３０、ＦｅＮｉ４２、ＦｅＮｉ４８またはＦｅＮｉ５２からなる。
【００４５】
高い周波数が使用されるため、アンテナとケーブルとの間の接続は信号の歪みを制限するために非常に正確でなければならない。この状態を達成するために、コネクタは少なくとも２つの機械的固定要素を含む。これらの機械的固定要素は、ケーブルの移動を回避しながら正しい場所にケーブルを維持することを可能にし、アンテナへの良好な電気的接続を確保する。これらの要素は、コネクタと異なる組成を有してもよい。好ましくは、シールドは、機械的固定要素の少なくとも１つを介してアンテナに接続され、アンテナへの非常に良好な電気的接続を有する。
【００４６】
本発明によれば、好ましくは、中央ピンは、導電性コネクタとは別に鉛を使用しないはんだ付けによってアンテナに接続される。好ましくは、中央ピンは中間伝導性要素にかしめられてもよい。この場合、鉛フリーはんだ材料は、中間要素とアンテナとの間に提供される。
【００４７】
本発明によれば、好ましくは、導電性コネクタは、機械的固定要素を固定するための少なくとも拡張領域と、鉛フリーはんだ材料によってアンテナに接合するための、拡張領域に接続された少なくとも１つの足部とを含む。これらの２つの部分、すなわち少なくとも１つの足部および拡張領域は、アンテナへのコネクタのはんだ付けおよびケーブルの固定を容易にする。本発明によれば、拡張領域は、アンテナと直接接触していないが、足部を介してアンテナに電気的に接続されている領域である。好ましくは、拡張領域の形状は、長方形部分（湾曲しているまたはしていない）、または他の任意の形状であってもよい。足部は、はんだ材料を介してアンテナと接触している。好ましくは、導電性コネクタは、丸みを帯びた形状を有する少なくとも１つの足部を含む。丸みを帯びた形状という用語は、非限定的に、楕円形、卵形、円形、半円形、クローバー形、多円形、多面体、例えば切断縁部のある円の一部のような全体的に丸みを帯びた形状、または丸みを帯びた角を有する長方形のような、丸みを帯びた縁部を有する長方形を有するいずれの形状も意味する。それは単一のリング形状であってもよい。
【００４８】
より好ましくは、導電性コネクタは、コネクタをアンテナに取り付けるプロセス中に安定性を得るために、およびケーブルのいかなる移動も回避することによってガラスパネルの寿命までケーブルを安定させるために２つの足部を含む。
【００４９】
本発明によれば、導電性コネクタは、足部間に設けられた拡張領域の少なくとも一部を含む。拡張領域の少なくとも一部が足部間に設けられている場合、拡張領域の形状はＵ字型またはＴ字型である。Ｕ字型とは、２つの足部を接続する一種のブリッジを意味する。Ｔ字型とは、実質的に垂直な部分を有する一種のブリッジを意味する。この種の形状の利点は、高い安定性を有する対称的なコネクタを有することである。
【００５０】
本発明によれば、ケーブルをコネクタに保持するための機械的固定要素が設けられる。それらは、好ましくは拡張領域に固定される。好ましくは、機械的固定要素は、プロセス所要時間を短縮しかつかしめ工程後のケーブルの移動を回避するために、ケーブルをコネクタにかしめるためのかしめ要素である。
【００５１】
機械的固定要素は拡張領域と同じ組成を有し、拡張領域と同一部品として製造されていると好ましい。
【００５２】
より好ましくは、ケーブルの機械的固定による拡張領域の変形を回避するために、機械的固定要素は、導電性コネクタの拡張領域の少なくとも１つの縁部に固定される。
【００５３】
より好ましくは、拡張領域との不安定な同軸ケーブルの接続による挙動の揺らぎを排除するために、機械的固定要素は、導電性コネクタの拡張領域の対向する２つの縁部に固定される。
【００５４】
本発明の一実施形態では、導電性コネクタは３つの機械的固定要素を含み、機械的固定要素のうちの２つが同軸ケーブルのシールドに電気的に接続され、かつ導電性コネクタの拡張領域の対向する２つの縁部に固定され、および機械的固定要素のうちの１つが同軸の絶縁層に固定される。この特徴により、電気的接続を確保し、拡張領域との不安定な同軸ケーブルの接続による挙動の揺らぎを排除することができる。
【００５５】
本発明はまた、同軸ケーブルを導電性コネクタに保持するための少なくとも２つの機械的固定要素を含むコネクタに関する。
【００５６】
本発明によれば、コネクタは、好ましくは、機械的固定要素を固定するための少なくとも拡張領域と、鉛フリーはんだによってアンテナに接合するための、拡張領域に接続された少なくとも１つの足部とを含む。
【００５７】
本発明によれば、コネクタは、好ましくは２つの足部を含む。
【００５８】
本発明によれば、コネクタは、好ましくは、導電性コネクタの拡張領域の少なくとも１つの縁部に固定される機械的固定要素を含む。
【００５９】
コネクタの利点は、このようなコネクタを含む本発明によるガラスパネルの利点と同じであり、より詳細には説明しない。
【００６０】
ここで、限定ではなく例示として提供される図面および例示的な実施形態を参照して、本発明がより詳細に説明される。図面は概略的な表現であり、一定の縮尺比ではない。図面は決して本発明を限定するものではない。例を用いてさらなる利点が説明される。
【図面の簡単な説明】
【００６１】
【図１】本発明によるガラスパネルの第１の実施形態の平面図である。
【図２】本発明によるガラスパネルの第１の実施形態の側面図である。
【図３】本発明による導電性コネクタの実施形態の平面図である。
【図４】本発明による導電性コネクタの実施形態のＡ−Ａ’からの側面図である。
【図５】本発明による導電性コネクタの実施形態のＢ−Ｂ’からの側面図である。
【図６】本発明による導電性コネクタの別の例の平面図である。
【図７】本発明による導電性コネクタの別の例のＣ−Ｃ’からの側面図である。
【図８】本発明による導電性コネクタの別の例のＤ−Ｄ’からの側面図である。
【図９】本発明の一実施形態による金属シールドの延長部を示す側面図である。
【発明を実施するための形態】
【００６２】
本発明の第１の実施形態による図１および図２を参照すると、ガラスパネル１は、プリントされた広帯域アンテナ１０、１１を担持するガラス板２を含む。２つの足部１０１、１０２とＵ字形拡張領域１０３とを含む導電性コネクタ１００が、はんだ材料９を介してアンテナの第１の部分１０に電気的に接続されている。例えば、導電性コネクタ１００は、ＧＲＡＤＥ４３０（Ｆｅ、＜０．１２％Ｃ、１６〜１８％Ｃｒ、＜０．７５％Ｎｉ、＜１．０％Ｍｎ、＜１．０％Ｓｉ、＜０．０４０％Ｐ、＜０．０３０％Ｓ）材料から作製され、はんだ材料９はＳＡＣ３０５材料から作製される。
【００６３】
３つの機械的固定要素１１０、１１１、１１２が拡張領域１０３に固定され、同軸ケーブル１２０を維持する。同軸ケーブル１２０は、中央ピン１２３と、同軸ケーブルを取り囲みかつプラスチック材料であり得る絶縁層１２１によって保護されたシールド１２２とを含み、３つの機械的固定要素１１０、１１１、１１２によってかしめられる。この実施形態では、機械的固定要素１１０はケーブル１２０をかしめ、絶縁層１２１と接触している。この機械的固定要素１１０は、張力および与えられる必要な剛性のほとんどすべてを担当する。２つの他の機械的固定要素１１１、１１２はケーブルをかしめ、シールド１２２と接触する。これらの２つの他の機械的固定要素１１１、１１２は、導電性コネクタ１００の拡張領域１０３の両縁に固定される。拡張領域の後ろの第３の機械的固定要素１１２は、確実な電気的接続を可能にし、拡張領域との不安定な同軸ケーブル接続に起因する挙動の揺らぎを排除する。同軸ケーブル１２０の中央ピン１２３は、中間導電性要素６に対してかしめられる。この中間導電性要素６は、はんだ材料９によってアンテナの第２の部分１１に電気的に接続される。中央ピン１２３および中間導電性要素６は、安定した性能を得るために、作動毎に同じ形状および特性を維持するようにかしめられ、はんだ付けされる。
【００６４】
導電性コネクタ１００および中央ピン１２３および中間導電性要素６のはんだ付けプロセスは、電気加熱はんだ付けのための、およびはんだフリー材料の場合には鉛フリー用途のためのはんだ付けヘッドと適合するはずである。
【００６５】
本発明の他の１つの重要な点は、最小限の曲げで中央ピン１２３のはんだ付けを可能にするために、可能な限りガラスの近くに存在するように同軸ケーブル１２０が拡張領域１０３の下側領域にかしめられることである。従って、同じ位置、精度、電気的性能を有するはんだ付けのより良い再現性が得られる。そうでない場合、中央ピンの湾曲は同軸設計を変化させ、損失および非効率な伝送モードを追加する。
【００６６】
下側に固定された同軸ケーブル１２０は、ガラス板の表面と直接接触してもしなくてもよい。しかしながら、工業上の理由から、はんだ付け後にガラスに生じる可能性のある応力点を回避し中央ピンの湾曲を制限するために、同軸ケーブルとガラス板の表面との間の距離は最小限であることが好ましい。
【００６７】
図３〜図５を参照すると、本発明による導電性コネクタの一実施形態によれば、導電性コネクタ１００は、２つの足部１０１、１０２間にＵ字形の拡張領域１０３を含む。２つの機械的固定要素１１０、１１１は、拡張領域１０３に固定される。第１の機械的固定要素１１０は、拡張領域１０３の一端に固定され、同軸ケーブルの絶縁層をかしめることができる。第２の機械的固定要素１１１は、拡張領域１０３に、好ましくは拡張領域１０３の凹部１０５に固定され、同軸ケーブルのシールドをかしめることができる。
【００６８】
図６〜図８を参照すると、本発明による導電性コネクタの別の例によれば、導電性コネクタ１００は、２つの足部１０１、１０２間にＵ字形の拡張領域１０３を含む。導電性コネクタ１００は、拡張領域１０３の両側の縁に固定されかつ同軸ケーブルのシールドをかしめることができる２つの機械的固定要素１１１、１１２を含む。導電性コネクタ１００はまた、２つの第１の機械的固定要素１１１、１１２のうちの１つの後ろに固定されかつ同軸ケーブルの絶縁層をかしめることができる第３の機械的固定要素１１０を含む。
【００６９】
本発明の一実施形態によれば、および図９に示すように、同軸ケーブルは、中央ピンをかしめる中間導電性要素により近付くように、金属シールド１２２の延長部を追加してもよい。このようにして、シールドの延長により高周波の損失が低減され、アンテナの性能を向上させることができる。なぜなら、この延長がなければ、インピーダンスが変化する可能性があり、次にリフェクションがインピーダンス変化の部分で起こり、これが伝送の損失につながり得るからである。
【００７０】
より好ましくは、金属シールドの延長領域は、アンテナの第２の部分に電気的に接続されないように、熱収縮チューブなどの絶縁層によって被覆される。
【図１】
0006783796.tif 000002
【図２】
0006783796.tif 000003
【図３】
0006783796.tif 000004
【図４】
0006783796.tif 000005
【図５】
0006783796.tif 000006
【図６】
0006783796.tif 000007
【図７】
0006783796.tif 000008
【図８】
0006783796.tif 000009
【図９】
0006783796.tif 000010